(57)【要約】【課題】ユーザーの利便性を向上したファクシミリ装置を提供する。【解決手段】ファクシミリ装置１１ａは、表示制御部４４と、設定変更受け付け部４５と、設定変更反映部４６とを備える。表示制御部４４は、リダイアル発信制御部４３の作動時に、リダイアル発信制御部４３によるリダイアル発信の設定を表示部２１に表示するよう制御する。設定変更受け付け部４５は、表示部２１に表示されたリダイアル発信の設定の変更を受け付ける。設定変更反映部４６は、設定変更受け付け部４５により受け付けられたリダイアル発信の設定の変更をリダイアル発信制御部４３に反映させるよう制御する。【選択図】図４
2018085699.tif 000002
【特許請求の範囲】
【請求項１】
通信回線を用いて画像情報を所定の外部装置に送信するファクシミリ装置であって、
情報を表示する表示部と、
前記所定の外部装置のダイアル番号の入力を受け付けるダイアル番号入力受け付け部と、
前記ダイアル番号入力受け付け部により受け付けられた前記ダイアル番号を基にダイアル発信を行うダイアル発信制御部と、
前記ダイアル発信制御部により行われた前記ダイアル発信による通信の接続が確立したか否かを判断する通信接続判断部と、
前記通信接続判断部により前記通信の接続が確立したと判断されれば、前記所定の外部装置に前記画像情報をファクシミリ送信するよう制御するファクシミリ送信制御部と、
前記ファクシミリ送信制御部により前記画像情報が全て送信できたか否かを判断するファクシミリ送信判断部と、
前記ファクシミリ送信判断部により前記画像情報が全て送信できたと判断されなければ、所定の時間間隔を開けてリダイアル発信を行うリダイアル発信制御部と、
前記リダイアル発信制御部の作動時に、前記リダイアル発信制御部による前記リダイアル発信の設定を前記表示部に表示するよう制御する表示制御部と、
前記表示部に表示された前記リダイアル発信の設定の変更を受け付ける設定変更受け付け部と、
前記設定変更受け付け部により受け付けられた前記リダイアル発信の設定の変更を前記リダイアル発信制御部に反映させるよう制御する設定変更反映部とを備える、ファクシミリ装置。
【請求項２】
前記ファクシミリ装置を操作するユーザーを認証するユーザー認証部と、
前記ユーザー認証部により認証された前記ユーザーの権限を判断する権限判断部とを備え、
前記表示制御部は、前記権限判断部により判断された前記ユーザーの権限に応じて、前記リダイアル発信の設定の表示内容を変更する、請求項１に記載のファクシミリ装置。
【請求項３】
前記リダイアル発信の設定は、前記リダイアル発信のキャンセルの設定、前記リダイアル発信の即時の実行の設定、複数のリダイアルを行う際の複数の前記リダイアル同士の時間のインターバルである前記リダイアル発信の時間間隔の設定のうちの少なくともいずれか一つを含む、請求項１または請求項２に記載のファクシミリ装置。
【請求項４】
前記権限は、第一の権限と、前記第一の権限よりも弱い第二の権限と、前記第二の権限よりも弱い第三の権限とを含み、
前記表示制御部は、前記ユーザーが前記権限判断部により前記第三の権限であると判断されれば、前記表示部に前記リダイアル発信の設定の表示をしないように制御し、前記ユーザーが前記権限判断部により前記第二の権限であると判断されれば、前記表示部に前記リダイアル発信のキャンセルの設定および前記リダイアル発信の即時の実行の設定を表示するよう制御し、前記ユーザーが前記権限判断部により前記第一の権限であると判断されれば、前記表示部に前記リダイアル発信のキャンセルの設定、前記リダイアル発信の即時の実行の設定および前記リダイアル発信の時間間隔の設定を表示するよう制御する、請求項３に記載のファクシミリ装置。
【請求項５】
前記設定変更受け付け部は、ファクシミリ送信のジョブ毎に前記リダイアル発信の設定の変更を受け付ける、請求項１〜請求項４のいずれか１項に記載のファクシミリ装置。
【請求項６】
音声により前記リダイアル発信の設定を報知する音声報知部をさらに備える、請求項１〜請求項５のいずれか１項に記載のファクシミリ装置。
【請求項７】
前記通信回線は、電話回線またはネットワーク回線を含む、請求項１〜請求項６のいずれか１項に記載のファクシミリ装置。
【発明の詳細な説明】
【技術分野】
【０００１】
この発明は、ファクシミリ装置に関するものである。
【背景技術】
【０００２】
複合機等に代表される画像処理装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させて印刷し、装置外に排出する。
【０００３】
画像処理装置においては、たとえば読み取られた原稿の画像を利用してファクシミリで他の画像処理装置に送信できるものがある。ここで、ファクシミリに関する技術が、特開平５−１３６９７３号公報（特許文献１）に開示されている。
【先行技術文献】
【特許文献】
【０００４】
【特許文献１】特開平５−１３６９７３号公報
【発明の概要】
【発明が解決しようとする課題】
【０００５】
特許文献１に開示の技術によると、通信の遮断等が生じた場合において実施されるリダイアル機能について、リダイアル待機中の残り時間を表示画面に表示することとしている。しかし、単に残り時間の情報を表示するのみでは、ユーザーの利便性に欠ける場合も多い。
【０００６】
この発明の目的は、ユーザーの利便性を向上したファクシミリ装置を提供することである。
【課題を解決するための手段】
【０００７】
この発明に係るファクシミリ装置は、通信回線を用いて画像情報を所定の外部装置に送信する。ファクシミリ装置は、表示部と、ダイアル番号入力受け付け部と、ダイアル発信制御部と、通信接続判断部と、ファクシミリ送信制御部と、ファクシミリ送信判断部と、リダイアル発信制御部と、表示制御部と、設定変更受け付け部と、設定変更反映部とを備える。表示部は、情報を表示する。ダイアル番号入力受け付け部は、所定の外部装置のダイアル番号の入力を受け付ける。ダイアル発信制御部は、ダイアル番号入力受け付け部により受け付けられたダイアル番号を基にダイアル発信を行う。通信接続判断部は、ダイアル発信制御部により行われたダイアル発信による通信の接続が確立したか否かを判断する。ファクシミリ送信制御部は、通信接続判断部により通信の接続が確立したと判断されれば、所定の外部装置に画像情報をファクシミリ送信するよう制御する。ファクシミリ送信判断部は、ファクシミリ送信制御部により画像情報が全て送信できたか否かを判断する。リダイアル発信制御部は、ファクシミリ送信判断部により画像情報が全て送信できたと判断されなければ、所定の時間間隔を開けてリダイアル発信を行う。表示制御部は、リダイアル発信制御部の作動時に、リダイアル発信制御部によるリダイアル発信の設定を表示部に表示するよう制御する。設定変更受け付け部は、表示部に表示されたリダイアル発信の設定の変更を受け付ける。設定変更反映部は、設定変更受け付け部により受け付けられたリダイアル発信の設定の変更をリダイアル発信制御部に反映させるよう制御する。
【発明の効果】
【０００８】
このようなファクシミリ装置によると、通信の遮断等に起因してリダイアル発信する際に、リダイアル発信の設定が表示部に表示されるため、ユーザーは、リダイアルの設定を表示部による表示を見て確認することができる。さらに、表示部に表示されたリダイアル発信の設定を変更することができるため、ユーザーの好みや状況に応じたリダイアル発信の設定とすることができる。そうすると、たとえば、リダイアル発信のインターバルの時間等を変更して、時間の有効活用を図ることができる。したがって、ユーザーの利便性を向上することができる。
【図面の簡単な説明】
【０００９】
【図１】この発明の一実施形態に係るファクシミリ装置を複合機に適用した場合の複合機の外観を示す概略斜視図である。
【図２】図１に示す複合機の構成を示すブロック図である。
【図３】操作部の概略的な構成を示す外観図である。
【図４】制御部の構成を示すブロック図である。
【図５】この発明の一実施形態に係る複合機を用いてユーザーが複合機に対してファクシミリ送信を行う場合の処理の流れを示すフローチャートである。
【図６】ユーザー名およびパスワードの入力を受け付ける際の表示画面の一例を示す図である。
【図７】リダイアル発信の三つの設定が表示された表示画面の一例を示す図である。
【図８】リダイアルの設定の変更を受け付ける場合の表示画面の一例を示す図である。
【発明を実施するための形態】
【００１０】
以下、この発明の実施の形態を説明する。図１は、この発明の一実施形態に係るファクシミリ装置を複合機に適用した場合の複合機の外観を示す概略図である。図２は、図１に示す複合機の構成を示すブロック図である。
【００１１】
図１および図２を参照して、複合機１１ａは、制御部１２と、操作部１３と、画像読み取り部１４と、画像形成部１５と、記憶部としてのハードディスク１６と、ファクシミリ通信部１７とを備える。
【００１２】
制御部１２は、複合機１１ａ全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１８を含む。操作部１３は、複合機１１ａ側から発信する情報やユーザーの入力内容といった情報を表示する表示部としての表示画面２１を含む。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。画像形成部１５は、画像読み取り部１４により読み取られた画像やネットワーク（図示せず）を介して送信された画像情報を基に、用紙に画像を形成する。ハードディスク１６は、画像情報や入力された画像形成条件等のデータを記憶する。
【００１３】
なお、ハードディスク１６には、複合機１１ａの操作を許可するユーザー名のデータとユーザー名に対応するパスワードのデータ、さらにユーザー名に対応する権限のデータが記憶されている。これらのデータは、たとえばテーブル形式で記憶されている。権限とは、たとえば、管理者のような複合機１１ａの全ての設定の変更や修正を行うことが可能な権限や、登録ユーザーのような複合機１１ａの一部の設定の変更や修正を行うことが可能な権限をいう。
【００１４】
ファクシミリ通信部１７は、公衆回線２４に接続されている。複合機１１ａは、このフ
ァクシミリ通信部１７を利用して、ファクシミリ送信やファクシミリ受信を行うことができる。すなわち、複合機１１ａは、電話回線といった通信回線を用いて画像情報を所定の外部装置、たとえば、他の複合機１１ｂに送信することができる。また、複合機１１ａは、他の複合機１１ｂから通信回線を用いて画像情報を受信することもできる。なお、他の複合機１１ｂの構成については、複合機１１ａの構成と同等である。
【００１５】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１ａの電源のオンまたはオフを入力させる電源キー３３と、複合機１１ａの有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００１６】
次に、制御部１２の構成について説明する。図４は、制御部１２の構成を示すブロック図である。図４を参照して、制御部１２は、ダイアル番号入力受け付け部３７と、ダイアル発信部３８と、通信接続判断部３９と、ファクシミリ送信制御部４１と、ファクシミリ送信判断部４２と、リダイアル発信制御部４３と、表示制御部４４と、設定変更受け付け部４５と、設定変更反映部４６と、ユーザー認証部４７と、権限判断部４８とを備える。
【００１７】
ダイアル番号入力受け付け部３７は、外部装置、たとえば、他の複合機１１ｂのダイアル番号の入力を受け付ける。この場合、複合機１１ｂに割り振られているファクシミリ用のダイアル番号の入力を受け付ける。ダイアル発信制御部３８は、ダイアル番号入力受け付け部３７により受け付けられたダイアル番号を基にダイアル発信を行う。通信接続判断部３９は、ダイアル発信制御部３８により行われたダイアル発信による通信の接続が確立したか否かを判断する。ファクシミリ送信制御部４１は、通信接続判断部３９により通信の接続が確立したと判断されれば、複合機１１ｂに画像情報をファクシミリ送信するよう制御する。ファクシミリ送信判断部４２は、ファクシミリ送信制御部４１により画像情報が全て送信できたか否かを判断する。リダイアル発信制御部４３は、ファクシミリ送信判断部４２により画像情報が全て送信できたと判断されなければ、所定の時間間隔を開けてリダイアル発信を行う。表示制御部４４は、リダイアル発信制御部４３の作動時に、リダイアル発信制御部４３によるリダイアル発信の設定を表示部に表示するよう制御する。設定変更受け付け部４５は、表示画面２１に表示されたリダイアル発信の設定の変更を受け付ける。設定変更反映部４６は、設定変更受け付け部４５により受け付けられたリダイアル発信の設定の変更をリダイアル発信制御部４３に反映させるよう制御する。
【００１８】
なお、ユーザー認証部４７は、複合機１１ａを操作するユーザーを認証する。権限判断部４８は、ユーザー認証部４７により認証されたユーザーの権限を判断する。また、表示制御部４４は、権限判断部４８により判断されたユーザーの権限に応じて、リダイアル発信の設定の表示内容を変更する。これらの構成については、後に詳述する。
【００１９】
次に、この発明の一実施形態に係る複合機１１ａを用いて、ユーザーが複合機１１ｂに対してファクシミリ送信を行う場合について説明する。図５は、この発明の一実施形態に係る複合機１１ａを用いてユーザーが複合機１１ｂに対してファクシミリ送信を行う場合の処理の流れを示すフローチャートである。
【００２０】
図５を参照して、まず、複合機１１ａは、ファクシミリ通信を行うユーザーを認証するために、ユーザー名およびパスワードを入力させる。すなわち、複合機１１ａは、ユーザー名およびパスワードの入力を受け付ける（図５において、ステップＳ１１、以下、「ステップ」を省略する）。図６は、ユーザー名およびパスワードの入力を受け付ける際の表示画面２１の一例を示す図である。図６を参照して、表示画面２１には、「ユーザー名とパスワードを入力してください。」とのメッセージ５１と、「ユーザー名」との文字５２ａと、「パスワード」との文字５２ｂと、文字５２ａの横において空のボックスから構成されており、ユーザー名を入力させるユーザー名入力部５３ａと、文字５２ｂの横において空のボックスから構成されており、パスワードを入力させるパスワード入力部５３ｂとが表示されている。ユーザーは、テンキー３１等を利用して、ユーザー名およびパスワードをユーザー名入力部５３ａおよびパスワード入力部５３ｂにそれぞれ入力する。そうすると、複合機１１ａは、ユーザー名およびパスワードの入力を受け付ける。
【００２１】
ユーザー名およびパスワードの入力を受け付けると、ユーザー認証部４７は、入力されたユーザーの認証を行う（Ｓ１２）。この場合、上記したハードディスク１６に記憶されたテーブル形式のユーザー名のデータおよびパスワードのデータに基づいて行う。なお、このユーザー認証部４７による認証については、ユーザー名およびパスワードに基づくものに限られず、たとえば、ユーザーの指紋を利用した指紋認証や、ユーザーの所有する磁気的なカードを利用したカード認証により行ってもよい。
【００２２】
ユーザーが認証されると、ダイアル番号入力受け付け部３７は、所定の外部装置、ここでは、他の複合機１１ｂのダイアル番号の入力を受け付ける（Ｓ１３）。ダイアル番号の入力については、表示画面２１にダイアル番号を入力させる専用の画面を表示させ、テンキー３１により入力させる。
【００２３】
ダイアル番号の入力を受け付けると、ダイアル発信制御部３８は、入力されたダイアル番号を発信する。この場合の発信のタイミングは、操作部１３のスタートキー３２の押下を検知したタイミングである。その後、通信接続判断部３９は、ダイアル発信制御部３８により行われたダイアル発信による通信の接続が確立したか否かを判断する。この場合、公衆回線２４を経由した複合機１１ｂとの通信の接続が確立したか否かが判断される。
【００２４】
通信の接続が確立したと判断されれば（Ｓ１４）、ファクシミリ送信制御部４１は、ファクシミリ送信を開始する（Ｓ１５）。具体的には、たとえば、ユーザーによりＡＤＦ２２にセットされ、画像読み取り部１４により読み取られた複数枚の原稿の画像情報の複合機１１ａから複合機１１ｂへのファクシミリ送信を始める。
【００２５】
その後、ファクシミリ送信判断部４２は、全ての画像情報の送信が完了したか否かを判断する（Ｓ１６）。全ての画像情報の送信が完了すれば（Ｓ１６において、ＹＥＳ）、そのまま処理を終了する。しかし、全ての画像情報の送信が完了する前に通信の遮断等により、全ての画像情報の送信が完了しないうちに通信の接続が切断されれば（Ｓ１６において、ＮＯ）、再び通信の接続を確立しようと試みる。すなわち、リダイアル発信制御部４３は、ファクシミリ送信判断部４２により画像情報が全て送信できたと判断されなければ、所定の時間間隔を開けてリダイアル発信を行おうとする。
【００２６】
ここで、表示制御部４４は、リダイアル発信制御部４３の作動時に、リダイアル発信制御部４３によるリダイアル発信の設定を表示画面２１に表示するよう制御する。この場合、まず、表示制御部４４による表示に先立ち、権限判断部４８は、認証されたユーザー名に対応するユーザーの権限を判断する。この場合、上記したハードディスク１６に記憶されたテーブル形式のユーザー名のデータとユーザー毎に割り振られた権限のデータに基づいて行う。具体的にはまず、ユーザーの権限が第一の権限か否かを判断する（Ｓ１７）。
そして、ユーザーの権限が第一の権限でなければ（Ｓ１７において、ＮＯ）、ユーザーの権限が第二の権限か第三の権限かを判断する（Ｓ１８）。
【００２７】
ここで、権限については、以下のように構成されている。すなわち、ユーザーの権限は、第一の権限と、第一の権限よりも弱い第二の権限と、第二の権限よりも弱い第三の権限とから構成されている。第一の権限としては、複合機１１ａの管理者のような複合機１１ａの全ての設定を変更、修正可能な権限である。第二の権限としては、複合機１１ａの登録されたユーザーのような全ての設定の変更や修正はできないまでも、ある特定の設定の変更や修正が可能な権限である。すなわち、リダイアル発信の設定の一部の変更や修正が可能な権限である。第三の権限としては、単なる複合機１１ａの一般ユーザーのような複合機１１ａの設定の何等の変更や修正も許可されていない権限である。
【００２８】
権限判断部４８は、Ｓ１２により認証されたユーザー、すなわち、現在複合機１１ａによりファクシミリ送信を行っているユーザーが、管理者のような第一の権限を有する者か、登録ユーザーのような第二の権限を有する者か、また、一般ユーザーのような第三の権限を有する者かを判断する。
【００２９】
権限判断部４８により第一の権限であると判断されれば（Ｓ１７において、ＹＥＳ）、表示制御部４４は、全ての設定としてリダイアル発信の三つの設定を表示する（Ｓ１９）。図７は、リダイアル発信の三つの設定が表示された表示画面２１の一例を示す図である。図７を参照して、表示画面２１には、通信の接続が遮断されたことを示す「通信の接続エラー」との文字５６と、リダイアル発信制御部４３が作動する時間を示す「３分後にリダイアルします。」とのメッセージ５７と、「ジョブのキャンセル」と示されており、押下を検知することによりリダイアル発信制御部４３による「リダイアル」のジョブのキャンセルを受け付ける設定の選択キー５８ａと、「リダイアルの即時の実行」と示されており、押下を検知することによりリダイアル発信制御部４３による「リダイアル」のジョブの即時の実行を受け付ける設定の選択キー５８ｂと、「リダイアルの設定の変更」と示されており、押下を検知することによりリダイアル発信制御部４３の設定の変更を受け付ける画面へと移行する設定の選択キー５８ｃとが表示されている。
【００３０】
さらに選択キー５８ｃの押下を検知した場合には、図７に示す画面が移行して、以下に示す画面が表示画面２１に表示される。図８は、リダイアルの設定の変更を受け付ける場合の表示画面２１の一例を示す図である。図８を参照して、表示画面２１には、「インターバルの時間」との文字６１と、「１分」と示されており、押下を検知することによりリダイアル発信制御部４３によるリダイアルのインターバルの時間を１分に設定する設定キー６２ａと、「２分」と示されており、押下を検知することによりリダイアル発信制御部４３によるリダイアルのインターバルの時間を２分に設定する設定キー６２ｂと、「３分」と示されており、押下を検知することによりリダイアル発信制御部４３によるリダイアルのインターバルの時間を３分に設定する設定キー６２ｃと、「５分」と示されており、押下を検知することによりリダイアル発信制御部４３によるリダイアルのインターバルの時間を５分に設定する設定キー６２ｄと、「指定（）分」と示されており、括弧内に数値をテンキー３１等で入力させることにより任意の時間をリダイアル発信制御部４３によるリダイアルのインターバルの時間として設定する設定キー６２ｅと、「決定」と示されており、押下を検知することにより設定されたリダイアル発信制御部４３によるリダイアルのインターバルの時間を決定する設定キー６３ａと、「戻る」と示されており、押下を検知することにより前の画面に戻る設定キー６３ｂとが表示されている。
【００３１】
複合機１１ａを利用してファクシミリ送信を行っているユーザーが管理者である場合、図７に示す画面や、選択キー５８ｃの押下を検知した際に表される図８に示す画面が表示画面２１に表示される。管理者である第一の権限を有するユーザーは、必要に応じて選択
キー５８ａ、５８ｂ、５８ｃのいずれかを押下する。選択キー５８ｃを押下した場合には、さらに図８においていずれかの設定キー６２ａ〜６２ｅ、６３ａ、６３ｂを押下する。設定変更受け付け部４５は、いずれかの選択キー５８ａ〜５８ｃ、およびいずれかの設定キー６２ａ〜６２ｅ、６３ａ、６３ｂの押下を検知すると、押下を検知した選択キー５８ａ〜５８ｃ、設定キー６２ａ〜６２ｅ、６３ａ、６３ｂに相当する設定のリダイアル発信の設定の変更を受け付ける（Ｓ２０）。そして、設定変更反映部４６は、設定変更受け付け部４５により受け付けられたリダイアル発信の設定の変更をリダイアル発信制御部４３に反映させるよう制御する。すなわち、設定に沿ったリダイアル発信の制御を行う（Ｓ２１）。具体的には、選択キー５８ａの押下を検知すると、リダイアル発信制御部４３によるリダイアルのジョブのキャンセルを行う。選択キー５８ｂの押下を検知すると、リダイアル発信制御部４３によるリダイアルの即時の実行を行う。また、選択キー５８ｃの押下を検知すると、リダイアルの設定の変更を受け付ける画面へと移行する。そして、設定キー６２ａ〜６２ｅ、６３ａ、６３ｂの押下状況に応じて、リダイアルのインターバル時間の変更を行って、リダイアル発信を行う。
【００３２】
なお、Ｓ１８において、ユーザーが複合機１１ａの登録ユーザーであった場合、権限判断部４８は、ユーザーが第二の権限を有すると判断する。そうすると、表示制御部４４は、リダイアル発信の二つの設定を表示する（Ｓ２１）。具体的には、表示制御部４４は、上記した選択キー５８ａ、５８ｂ、５８ｃのうち、押下を検知することによりリダイアル発信制御部４３による「リダイアル」のジョブのキャンセルを受け付ける選択キー５８ａと、「リダイアルの即時の実行」と示されており、押下を検知することによりリダイアル発信制御部４３による「リダイアル」のジョブの即時の実行を受け付ける選択キー５８ｂとを表示する。この場合、選択キー５８ａ、５８ｂの選択は可能であるが、選択キー５８ｃが表示されない。すなわち、リダイアル発信の設定のうち、リダイアルのインターバルの時間の変更を行うことはできない。
【００３３】
また、Ｓ１７およびＳ１８において、ユーザーが複合機１１ａの一般ユーザーであった場合、権限判断部４８は、ユーザーが第三の権限を有すると判断する。そうすると、表示制御部４４は、選択キー５８ａ〜５８ｃをいずれも表示しないよう制御する。すなわち、選択キー５８ａ〜５８ｃを表示せず、「通信の接続エラー」との文字５６と、「３分後にリダイアルします。」とのメッセージ５７とが表示される。この場合、全てのリダイアルの設定の変更ができない。すなわち、表示制御部４４は、権限判断部４８により判断されたユーザーの権限に応じて、リダイアル発信の設定の表示内容を変更する構成である。
【００３４】
その後、上記したような設定に沿ってリダイアル発信制御部４３は、リダイアル発信を行う（Ｓ２２）。リダイアル後、接続が確立すれば画像情報のファクシミリ送信を行う。この場合、たとえば、前回の通信の確立時において、複数枚のうちの数枚のファクシミリ送信の完了が把握できていれば、続きの画像情報のファクシミリ送信を行う。このようにして、全ての画像情報の送信が完了したか否かが判断される（Ｓ２３）。全ての画像情報のファクシミリ送信が完了すれば（Ｓ２３において、ＹＥＳ）、処理を終了する。
【００３５】
一方、全ての画像情報のファクシミリ送信が完了せずに、再び確立された通信の接続が遮断されれば、リダイアルが所定の回数に達するまで、再びリダイアルを行う（Ｓ２３において、ＮＯ）。リダイアルの回数が所定の回数を経過すれば（Ｓ２４において、ＹＥＳ）、エラー処理を行って（Ｓ２５）、処理を終了する。エラー処理としては、たとえば、表示制御部４４による通信が確立できなかった旨の表示画面２１への表示、およびリダイアルの終了等が挙げられる。なお、上記した選択キー５８ａが押下された場合も同様の処理となる。すなわち、リダイアル発信のジョブのキャンセルを行う選択キー５８ａの押下を検知すれば、全ての画像情報のファクシミリ送信ができなかったとして、エラー処理を行って処理を終了する。
【００３６】
このような複合機１１ａによると、通信の遮断等に起因してリダイアル発信する際に、リダイアル発信の設定が表示画面２１に表示されるため、ユーザーは、リダイアルの設定を表示画面２１による表示を見て確認することができる。さらに、表示画面２１に表示されたリダイアル発信の設定を変更することができるため、ユーザーの好みや状況に応じたリダイアル発信の設定とすることができる。そうすると、たとえば、リダイアル発信のインターバルの時間等を変更して、時間の有効活用を図ることができる。したがって、ユーザーの利便性を向上することができる。
【００３７】
この場合、複合機１１ａは、ユーザー認証部４７と、権限判断部４８とを備える構成である。そして、表示制御部４４は、権限判断部４８により判断されたユーザーの権限に応じて、リダイアル発信の設定の表示内容を変更する構成であるため、ユーザーの権限に応じたより適切なリダイアル発信の設定を行うことができる。
【００３８】
なお、上記の実施の形態においては、リダイアル発信の設定は、リダイアル発信のキャンセルの設定、リダイアル発信の即時の実行の設定、複数のリダイアルを行う際の複数のリダイアル同士の時間のインターバルであるリダイアル発信の時間間隔の設定を含むこととしたが、これに限らず、リダイアル発信の設定は、リダイアル発信のキャンセルの設定、リダイアル発信の即時の実行の設定、複数のリダイアルを行う際の複数のリダイアル同士の時間のインターバルであるリダイアル発信の時間間隔の設定のうちの少なくともいずれか一つを含むよう構成してもよい。さらに、リダイアル発信の設定については、他の設定、たとえば、Ｓ２４に規定する所定の回数の設定等であってもよい。
【００３９】
また、上記の実施の形態においては、権限は、第一の権限と、第一の権限よりも弱い第二の権限と、第二の権限よりも弱い第三の権限とを含む構成である。そして、表示制御部４４は、ユーザーが権限判断部４８により第三の権限であると判断されれば、表示画面２１にリダイアル発信の設定の表示をしないように制御し、ユーザーが権限判断部４８により第二の権限であると判断されれば、表示画面２１にリダイアル発信のキャンセルの設定およびリダイアル発信の即時の実行の設定を表示するよう制御し、ユーザーが権限判断部４８により第一の権限であると判断されれば、表示画面２１にリダイアル発信のキャンセルの設定、リダイアル発信の即時の実行の設定およびリダイアル発信の時間間隔の設定を表示するよう制御している。しかし、これに限らず、たとえばユーザーが第三の権限であると判断されれば、表示画面２１にリダイアル発信の設定のうち、リダイアル発信のキャンセルの設定のみを表示するようにしてもよいし、リダイアル発信の即時の実行の設定のみを表示するようにしてもよい。
【００４０】
なお、上記の実施の形態において、音声によりリダイアル発信の設定を報知する音声報知部をさらに備える構成としてもよい。こうすることにより、音声によっても、リダイアル発信の設定を把握することができ、よりユーザーの利便性の向上を図ることができる。
【００４１】
また、上記の実施の形態において、設定変更受け付け部４５は、ファクシミリ送信のジョブ毎にリダイアル発信の設定の変更を受け付けるようにしてもよい。こうすることにより、リダイアル発信の設定の変更をジョブ毎に行うことが可能となるため、よりユーザーの利便性の向上を図ることができる。
【００４２】
なお、上記の実施の形態においては、複合機１１ａは、ユーザー認証部４７および権限判断部４８を備える構成としたが、これに限らず、ユーザー認証部４７および権限判断部４８を備えない構成としてもよい。この場合、複合機１１ａを使用するユーザーがリダイアル発信の設定を変更することが可能な構成としてもよい。
【００４３】
また、上記の実施の形態においては、複合機１１ａにおけるファクシミリ送信は、公衆回線２４を利用することとしたが、これに限らず、ネット回線を利用してファクシミリ送信等を行う構成としてもよい。通信回線は、電話回線またはネットワーク回線を含む構成としてもよい。
【００４４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係るファクシミリ装置は、ユーザーの利便性の向上が要求される場合に、特に有効に利用される。
【符号の説明】
【００４６】
１１ａ，１１ｂ  複合機、１２  制御部、１３  操作部、１４  画像読み取り部、１５
画像形成部、１６  ハードディスク、１７  ファクシミリ通信部、１８  主記憶メモリ、２１  表示画面、２２  ＡＤＦ、２４  公衆回線、３１  テンキー、３２  スタートキー、３３  電源キー、３４  メニューキー、３５  登録キー、３６  リセットキー、３７
ダイアル番号入力受け付け部、３８  ダイアル発信制御部、３９  通信接続判断部、４１  ファクシミリ送信制御部、４２  ファクシミリ送信判断部、４３  リダイアル発信制御部、４４  表示制御部、４５  設定変更受け付け部、４６  設定変更反映部、４７  ユーザー認証部、４８  権限判断部、５１，５７  メッセージ、５２ａ，５２ｂ，５６，６１  文字、５３ａ  ユーザー名入力部、５３ｂ  パスワード入力部、５８ａ，５８ｂ，５８ｃ  選択キー、６２ａ，６２ｂ，６２ｃ，６２ｄ，６２ｅ，６３ａ，６３ｂ  設定キー。
【図１】
2018085699.tif 000003
【図２】
2018085699.tif 000004
【図３】
2018085699.tif 000005
【図４】
2018085699.tif 000006
【図５】
2018085699.tif 000007
【図６】
2018085699.tif 000008
【図７】
2018085699.tif 000009
【図８】
2018085699.tif 000010